(57)【要約】【課題】  長期的使用においても吹奏音の質が低下を抑制するとともに、部品の製造精度に差があっても良質の吹奏音を得られる管楽器の提供。【解決手段】  管状に形成された接続部材を、その端部が管楽器全体の空気流路の一部を形成するよう楽器本体に着脱自在に嵌合してなる管楽器であって、前記接続部材の空気が流れる流路の周面に、接続部材の長手方向全域に亘る溝が形成されている構成。【選択図】  図３
2012118386.tif 000002
【特許請求の範囲】
【請求項１】
管状に形成された接続部材を、その端部が管楽器全体の空気流路の一部を形成するよう楽器本体に着脱自在に嵌合してなる管楽器であって、
前記接続部材の空気が流れる流路の周面に、接続部材の長手方向全域に亘る溝が形成されていることを特徴とする管楽器。
【請求項２】
溝は、マウスピースと管楽器本体との間に接続される接続部材の内周面に形成されていることを特徴とする請求項１記載の管楽器。
【請求項３】
管状に形成された接続部材を、その端部が管楽器全体の空気流路の一部を形成するよう楽器本体に着脱自在に嵌合してなる管楽器であって、
前記接続部材において空気が流れる流路の周面に溝が形成され、該溝は接続部材の長手方向途中部から端部端面まで延長され、前記長手方向途中部における溝部は端部端面側が径方向外方に傾斜する傾斜面とされていることを特徴とする管楽器。
【請求項４】
接続部材を、管楽器全体の空気流路の一部を形成するよう、該接続部材の端部を楽器本体に着脱自在に嵌合することで、楽器本体の内周面と接続部材の端部端面とで段差部分が形成されることを特徴とする請求項１ないし請求項３の何れかに記載の管楽器。
【請求項５】
溝は、接続部材の内周面に螺旋状に形成されていることを特徴とする請求項１ないし請求項４の何れかに記載の管楽器。
【請求項６】
溝は、接続部材の内周面に、周方向に所定間隔を置いて複数配置されていることを特徴とする請求項１ないし請求項５記の何れかに記載の管楽器。
【請求項７】
溝は、周方向両側に対向する側面と、側面間の底面とから矩形断面に形成されていることを特徴とする請求項１ないし請求項６の何れかに記載の管楽器。
【発明の詳細な説明】
【技術分野】
【０００１】
本発明は管楽器に関する。
【背景技術】
【０００２】
例えば管楽器の一例として、特許文献１に示すようなトランペット（金管楽器の一例）が提案されている。これは、トランペット本体にアダプタを介して、マウスピースが着脱自在に装着されている。
【０００３】
上記トランペットでは、アダプタに差し込んだマウスピースの先端端部と、該先端端部に対応する位置のアダプタの内周面との間に段差部分が生じてしまう。そうなると、演奏者がマウスピースから空気（息）を吹き込むと、前記段差部分において空気の乱れが発生し、その分だけ吹奏音の質が低下する。したがって、演奏者は、前記吹奏音の質が低下しないように吹奏する工夫が必要になる。
【０００４】
そこで、アダプタに差し込むマウスピースの先端端部の内周面テーパ面とすることで薄肉とし、先端端部とこれに対応する位置のアダプタの内周面との間に生じる段差部分の段差を小さくすることで、空気の乱れを抑制することが考えられる。
【０００５】
また、特許文献２には、クラリネット（木管楽器の一例）の構成が開示されている。一般にクラリネットは、上管、下管およびベルからなる本体に、バレルを介してマウスピースが着脱自在に装着されている。
【０００６】
特許文献２では、マウスピースの内周面、バレルの内周面および上管の内周面が互いに面一になるように、マウスピースとバレルの接続部分においてはマウスピースの端部全体の肉厚を薄く形成し、バレルと上管の接続部分においては上管の端部全体の肉厚を薄く形成している。
【０００７】
このようにすることで、マウスピース、バレル、および上管の内周面に段差部分を生じないようにし、空気（演奏者の息）の乱れを抑制して、演奏者による吹奏音の質の低下を抑制することを可能にしている。
【先行技術文献】
【特許文献】
【０００８】
【特許文献１】特開２００６−３５８２号公報
【特許文献２】特開２００２−６２８６８号公報
【発明の概要】
【発明が解決しようとする課題】
【０００９】
しかしながら、特許文献１では、マウスピースの先端端部を薄肉とすると、マウスピースの先端部分の強度（剛性）が低下してしまい、変形しやすくなって、長期使用において接続部分が変形して、不要な空気が侵入したり、あるいは逆に空気の漏れが発生したりして、吹奏音の質が低下してしまう。
【００１０】
特許文献２のように、マウスピースの内周面、バレルの内周面および上管の内周面が互いに面一となるよう形成することは、良質の演奏音を奏でることには有用である。しかしながら、図９に示すように、マウスピース１００、バレル１１０、上管１２０等の部品の製造精度に差があると、図９に示すように、特許文献１と同様に、互いの部品の接続部分に段差部分や環状の凹部１３０が生じてしまう。そうなると、空気Ａが段差部分や凹部１３０で大きく乱れ、吹奏音の質が低下してしまう。
【００１１】
そして上記のような課題は、金管楽器の一例であるトランペットや、木管楽器の一例であるクラリネットに限らず、管楽器全般における共通の課題であった。
【００１２】
そこで本発明は上記課題に鑑み、長期的使用においても吹奏音の質が低下を抑制するとともに、部品の製造精度に差があっても良質の吹奏音を得られる管楽器の提供を目的とする。
【課題を解決するための手段】
【００１３】
本発明は、管状に形成された接続部材を、その端部が管楽器全体の空気流路の一部を形成するよう楽器本体に着脱自在に嵌合してなる管楽器であって、前記接続部材の空気が流れる流路の周面に、接続部材の長手方向全域に亘る溝が形成されていることを特徴としている。
【００１４】
上記構成によれば、接続部材と楽器本体の接続部分の内周面に段差部分が生じたとしても、演奏者が吹く空気（息）の一部は溝を流れ、溝を形成している分だけ段差部分を形成する面積が少なくなるから、段差部分を形成する面積が少なくなった分だけ段差部分での空気の乱れが抑えられる。
【００１５】
接続部材としては、一個に限らず複数個であってもよく、しかも接続部材そのものが楽器本体の一部を構成するものであってもよい。また、着脱自在に嵌合するとは、接続部材の端部が楽器本体に内嵌する場合、あるいは外嵌する場合の双方を含む概念である。さらに管楽器は、木管楽器および金管楽器の何れにも適用可能であり、双方の楽器を含む概念である。
【００１６】
本発明の管楽器では、溝は、マウスピースと管楽器本体との間に接続される接続部材の内周面に形成される構成を採用することができる。この場合の管楽器は木管楽器のクラリネットが好適であり、接続部材としてバレルが適用される。
【００１７】
本発明は、管状に形成された接続部材を、その端部が管楽器全体の空気流路の一部を形成するよう楽器本体に着脱自在に嵌合してなる管楽器であって、前記接続部材において空気が流れる流路の周面に溝が形成され、該溝は接続部材の長手方向途中部から端部端面まで延長され、前記長手方向途中部における溝部は端部端面側が径方向外方に傾斜する傾斜面とされていることを特徴としている。
【００１８】
上記構成によれば、接続部材と楽器本体の接続部分の内周面に段差部分が生じたとしても、演奏者が吹く空気（息）の一部は溝を流れ、溝を形成している分だけ段差部分を形成する面積が少なくなるから、段差部分を形成する面積が少なくなった分だけ段差部分での空気の乱れが抑えられ、長手方向途中部における溝部は端部端面側が径方向外方に傾斜する傾斜面とすることで、溝を形成しても急激な断面形状の変化がないから、長手方向途中部における溝部での空気の乱れが生じにくい。
【００１９】
本発明の管楽器では、接続部材を、管楽器全体の空気流路の一部を形成するよう、該接続部材の端部を楽器本体に着脱自在に嵌合することで、楽器本体の内周面と接続部材の端部端面とで段差部分が形成される構成を採用することができる。
【００２０】
上記構成の管楽器では、楽器本体の内周面と接続部材の端部端面とで段差部分が形成されるが、接続部材と楽器本体の接続部分の内周面に段差部分が生じたとしても、演奏者が吹く空気（息）の一部は溝を流れ、溝を形成している分だけ段差部分を形成する面積が少なくなるから、段差部分を形成する面積が少なくなった分だけ段差部分での空気の乱れが抑えられる。
【００２１】
特に、この場合の管楽器としては、金管楽器が適用される。金管楽器では、楽器本体を構成する複数の部品において、所定の部品に対して該部品に嵌合しつつスライドさせる部品を備えるタイプがある。このような構成では、楽器本体を構成する部品どうしの接続部分における内周面に生じる段差部分は解消することが難しいからである。
【００２２】
本発明の管楽器では、溝は、接続部材の内周面に螺旋状に形成されている構成を採用することができる。溝を螺旋状に形成しても、空気の流れが邪魔されることがない。
【００２３】
本発明の管楽器では、溝は、接続部材の内周面に、周方向に所定間隔を置いて複数配置されている構成を採用することができる。この場合、溝は一定間隔ごとであってもよいし、不定間隔で配置してもよい。何れの場合でも、段差部における空気の乱れが抑制される。なお、溝は一本であってもよく、接続部材に少なくとも一本形成すれば、その分だけ段差部分での空気の乱れが抑制される。
【００２４】
本発明の管楽器では、溝は、周方向両側に対向する側面と、側面間の底面とから矩形断面に形成された構成を採用することができる。この構成によれば、空気は矩形断面の溝を円滑に流れる。なお、溝の断面形状は矩形断面のみでなく、他の形状として半円形断面、矩形以外の多角形断面であってもよい。
【発明の効果】
【００２５】
本発明の管楽器によれば、接続部材と楽器本体の接続部分の内周面に段差部分が生じたとしても、溝を形成している分だけ接続部材と楽器本体の接続部分に生じている段差部分を形成する面積が少なくなるから、段差部分を形成する面積が少なくなった分だけ、段差部分での空気の乱れを抑えることができる。また、接続部材および楽器本体の製造精度に差があって接続部材と楽器本体の接続部分に段差生じたとしても、容易に良質の吹奏音を得られる。
【００２６】
接続部材に溝を形成することによれば、段差部分を解消するために接続部材における端部の肉厚全体を薄く形成することなく、空気の乱れを抑えることができ、接続部材における端部の肉厚全体を薄く形成する必要がないから、接続部材の強度を確保することができ、管楽器の長期的使用においても接続部材と楽器本体の接続部分に隙間が発生しにくく、吹奏音の質の低下を抑制することができる。
【図面の簡単な説明】
【００２７】
【図１】本発明の第一の実施形態を表す楽器（クラリネット）の、全体構造図である。
【図２】同一部分解斜視図である。
【図３】同バレルと上管、バレルとマウスピースの接続部分を示す一部破断図である。
【図４】同バレルの単体平面図である。
【図５】本発明の第二の実施形態を表す楽器（トロンボーン）の、全体構造分解図である。
【図６】同スライド中管とスライド外管との嵌合状態を表すとともに、溝の形状を表す断面図である。
【図７】同図６におけるＸ−Ｘ線断面図である。
【図８】本発明の他の実施形態のバレルを表す断面図である。
【図９】従来例を表す木管楽器の一部断面図である。
【発明を実施するための形態】
【００２８】
以下本発明の一実施形態を、図面を参照しつつ説明する。まず、図１ないし図４に基づいて、本発明の第一の実施形態を説明する。本発明の第一の実施形態に係る管楽器は、木管楽器の一例としてのクラリネット１である。
【００２９】
図１および図２に示すように、一般にクラリネット１は、上管３、下管４およびベル５からなる楽器本体（以下単に「本体」と称する）２に、バレル６を介してマウスピース７が着脱自在に装着されてなる。これら何れの部材も管状に形成されており、互いを接続することにより、クラリネット１の内部に、連続した空気流路８が形成される。なお図１では、クラリネット１を構成するキイやレバーは、特に説明を要しないので、省略している。
【００３０】
また、このクラリネット１は、バレル６の構成以外は、一般的なクラリネット１の構成であるので、その説明を省略する。第一の実施形態では、バレル６が接続部材に相当する。バレル６の一端部９が上管３の端部１０に接続され、バレル６の他端部１１にマウスピース７の端部１２が接続される。
【００３１】
上管３の、バレル６と接続される端部１０は円筒状に形成されるとともに、該端部１０は他の部分に比べて薄肉に形成されている。マウスピース７の、バレル６と接続される端部１２は円筒状に形成されるとともに、該端部１２は他の部分に比べて薄肉に形成されている。上管３の端部１０とマウスピース７の端部１２は、ともにバレル６に内嵌されることで、バレル６に接続されるよう構成されている。
【００３２】
図３および図４に示すように、バレル６は、胴部１５の両端部側に凹部１６，１７を形成してなる。胴部１５は樽型に形成されており、各凹部１６，１７は胴部１５の端面を円柱状に穿つよう互いに同心に形成されるとともに、略同径に形成されている。凹部１６，１７間には、該凹部１６，１７に比べて小径のバレル流路１８が形成されている。各凹部１６，１７およびバレル流路１８は、空気流路８の一部を構成する空間である。
【００３３】
バレル流路１８の内周面（空気Ａが流れる周面に相当する）１９に、その長手方向全域に亘って溝２０が形成されている。溝２０は、バレル流路１８の内周面１９に、周方向に等間隔（この場合、９０°間隔）で配置されている。溝２０は、胴部１５の軸方向に沿って直線状に形成されている。
【００３４】
溝２０は、底面２０ａと、底面２０ａの両側端部から内周面１９に向かって立上げられた側面２０ｂから、矩形断面に形成されている。溝２０の深さｄ１は、上管３の端部１０の内周面２１に形成された面取り２２の深さｄ２に一致するよう設定されている。なお、マウスピース７の内周面２３は、バレル流路１８の内周面１９と面一となるよう設定されている。
【００３５】
上記構成において、演奏者（図示せず）がバレル６の他端部１１に接続したマウスピース７から空気（息）Ａを吹き込むと、空気Ａは、マウスピース７の内周面２３に沿うようにしてバレル６のバレル流路１８に至る。そうすると、バレル６の内周面１９（バレル流路１８）には、溝２０が複数形成されている。そして溝２０の深さｄ１（底面２０ａの位置）は、面取り２２の深さｄ２に一致するよう設定されている。このため、バレル６と上管３との接続部分に急激に変形する断面が生じていない。
【００３６】
空気Ａのうち、溝２０を進む一部の空気Ａ１は、面取り２２に当って面取り２２の傾斜に案内され、上管３の中心３ａ側へ向けて斜め方向に移動する。このため、空気Ａ１は、図７で示したような大きな乱れを起こさない。そして溝２０は複数形成されているから、各溝２０から上管３に至るとき、空気Ａ１の大きな乱れが起きない。したがって、溝２０を形成している分だけ、空気Ａが空気流路８内を円滑に進むことになる。したがって、演奏者は、溝２０を形成したことによる空気Ａ（Ａ１）の流れが円滑になった分だけ、ベル５から奏でられる吹奏音の質が低下しないように吹奏する工夫を要しなくなるばかりか、良好な吹奏音が奏でられる。
【００３７】
また、バレル６と上管３の接続部分に、バレル６と上管３の成型精度の相違により段差部分が生じてしまうことが考えられる。しかしながら、本発明の第一の実施形態のような溝２０を形成することにより、段差部分に衝突する空気Ａを少なくすることができる。このため、バレル６と上管３の成型精度の相違により段差部分が生じたとしても、溝２０を形成している分だけ、空気Ａの乱れを抑制することができる。
【００３８】
第一の実施形態では、クラリネット１を例に、そのバレル６に溝２０を形成した例を示した。しかしながら、溝２０はバレル６のみに形成することに限定されない。例えば、上管３あるいは下管４（上管３や下管４が接続部材に相当する）の内周面に形成することも可能である。さらに、木管楽器としてはクラリネット１に限定されず、フルート、ピッコロ、オーボエ、ファゴット、サクソフォーン、リコダー等がある。これらの木管楽器では、嵌合によって他の部材に接続される接続部材に溝を形成することで第一の実施形態と同様の作用効果が得られる。
【００３９】
次に、図５ないし図７に基づいて、本発明の第二の実施形態を説明する。本発明の第二の実施形態に係る管楽器は、金管楽器の一例としてのトロンボーン２５である。一般に、トロンボーン２５は、本体２６が、一対のスライド中管２７，２８、各スライド中管２７，２８の端部であるストッキング部３０，３１に、端部３２ａ，３２ｂが嵌合するＵ字形のスライド外管３２、一方のスライド中管２７の端部２７ａに端部３３ａが嵌合する補助管３３、補助管３３に一体的に形成されたベル３４等から構成されている。また、他方のスライド中管２８の端部２８ａに、マウスピース（歌口とも称する）３５が接続される。
【００４０】
上記第一の実施形態と同様に、図６に示すように、第二の実施形態においても溝４０が形成されている。この場合、溝４０は各ストッキング部３０，３１の内周面４１（流路４２）に形成されている。溝４０は、図７に示すように、内周面４１に、周方向に等間隔（この場合、４５°間隔）で配置されている。溝４０は底面４０ａと、底面４０ａの両側端部から内周面４１に向かって立上げられた側面４０ｂから、矩形断面に形成されている。各溝４０の深さｄ３は、スライド中管２７,２８（ストッキング部３０,３１）の厚みをできるだけ残した深さ、すなわちスライド中管２７，２８の所定の強度を確保できる深さで、しかもできるだけ深く（溝４０に対応する部分の厚みが薄くなるように）設定されている。
【００４１】
溝４０は、一方の端部４０ｃがストッキング部３０，３１の長手方向途中にあって、他方の端部４０ｄがストッキング部３０，３１の端面３０ａ，３０ｂにまで延長されている。溝４０の一方の端部４０ｃは、ストッキング部３０，３１の厚みが順次薄くなるよう、他方側へ傾斜する（径方向内外方向に対して傾斜する）傾斜面に形成されている。溝４０において、一方の端部４０ｃの形状以外の部分の形状は、底面４０ａと、底面４０ａの両側端部から内周面４１に向かって立上げられた側面４０ｂとから、矩形断面に形成されている。
【００４２】
トロンボーン２５は、演奏者がマウスピース３５から空気Ａを吹き込むと、空気Ａは、マウスピース３５からスライド中管２８内を通過し、スライド外管３２内を通過し、スライド中管２７に至り、スライド中管２７を通過して、補助管３３に至り、ベル３４から吹奏音が奏でられる。
【００４３】
ところで、トロンボーン２５では、スライド外管３２の端部３２ａ，３２ｂにスライド中管２７，２８のストッキング部３０，３１を嵌合（内嵌）した状態でスライド外管３２をスライド（往復動）させることで、演奏が行われる。したがって、トロンボーン２５をはじめとする金管楽器では、外管と中管との嵌合部分（接続部分）では、段差部分を解消することは実質的にできない。
【００４４】
しかしながら、本発明の第二の実施形態では、両スライド中管２７，２８の内周面４１に溝４０を形成している。つまり溝４０を形成している分だけ、各スライド中管２７，２８とスライド外管３２との段差部分となっている面積が減じられている。したがってその分だけ、空気Ａの流れが、流路４２内で円滑になる。
【００４５】
つまり空気Ａがストッキング部３１からスライド外管３２に至るとき、あるいは、スライド外管３２からストッキング部３０に至るとき、ストッキング部３０に溝４０を形成している分だけ、空気Ａの大きな乱れが起きない。しかもこのトロンボーン２５では、溝４０の一方の端部４０ｃは、ストッキング部３０，３１の厚みが順次薄くなるよう、他方側へ傾斜する傾斜面に形成されている。このように形成することにより、溝４０の一方の端部４０ｃと内周面４１とに、急激に変化する断面がない。したがって、溝４０の一方の端部４０ｃにおいても、空気Ａの大きな乱れが発生しにくい。
【００４６】
さらに、このトロンボーン２５では、ストッキング部３０，３１の端部の全体の肉厚を薄くするのではなく、複数の溝４０を形成した部分のみの肉厚が薄くなっている。このため、演奏時のトロンボーン２５において頻繁にスライドさせる部分の強度、特に、内嵌する方の管（この場合、スライド中管２７，２８）の強度（剛性）が低下してしまうのを抑制することができ、長期的使用にも耐え得る。
【００４７】
第二の実施形態では、金管楽器の一例として、トロンボーン２５の場合で説明した。しかしながら、他の金管楽器として、トランペット、ホルン、テューバ、ユーフォニアム、サクソルン等がある。これらの金管楽器では、嵌合によって他の部材に接続される接続部材に溝を形成することで第二の実施形態と同様の作用効果が得られる。
【００４８】
図８にさらに別の実施形態を示す。図８のバレル６では、溝２０は、胴部１５の軸方向に沿って直線状に形成されている。しかしながら、溝２０は軸方向に沿うように螺旋状（ひねり形状）に形成することもできる。但し、バレル６では、螺旋状であってしかも内周面１９の軸方向全域に亘って形成する。第二の実施形態における溝４０も同様に、螺旋状に形成することができる。これらの構成によっても、上記第一の実施形態および第二の実施形態と同様の作用効果を奏し得る。これら溝を螺旋状に形成する場合では、一本の溝は周方向に一回転させることなく形成することが好ましい。例えば０°から３００°の範囲がその一例である。
【００４９】
また、木管楽器、金管楽器の何れにおいても、溝の本数は特に限定されず、一本あるいは多数本であってもよい。但し、金管楽器においては、部材どうしの接続部分において、部材の強度を確保したうえで、溝の数やその深さを考慮する必要がある。なお、溝は一本であったとしても、一本の溝を形成した分だけ、段差部分を形成する面積が減るから、その分だけ空気の乱れの発生を抑制することができる。さらに、溝は等間隔に配置することに限定されず、不等間隔（不定間隔）で配置することもできる。また、溝の断面形状は、矩形に限定されず、半円形形状や三角形形状であってもよい。
【符号の説明】
【００５０】
１…クラリネット、２…本体、３…上管、４…下管、６…バレル、７…マウスピース、８…空気流路、１５…胴部、１６，１７…凹部、１８…バレル流路、１９…内周面、２０…溝、２１…内周面、２３…内周面、２５…トロンボーン、２６…本体、２７，２８…スライド中管、３０，３１…ストッキング部、３２…スライド外管、３５…マウスピース、４０…溝、４１…内周面、４２…流路、Ａ…空気、Ａ１…空気
【図１】
2012118386.tif 000003
【図２】
2012118386.tif 000004
【図３】
2012118386.tif 000005
【図４】
2012118386.tif 000006
【図５】
2012118386.tif 000007
【図６】
2012118386.tif 000008
【図７】
2012118386.tif 000009
【図８】
2012118386.tif 000010
【図９】
2012118386.tif 000011
【手続補正書】
【提出日】平成23年10月3日(2011.10.3)
【手続補正１】
【補正対象書類名】特許請求の範囲
【補正対象項目名】全文
【補正方法】変更
【補正の内容】
【特許請求の範囲】
【請求項１】
内部に流路を備える楽器本体と、内部に流路を備えることで管状に形成された接続部材とを備える管楽器であって、
前記接続部材の端部にその流路を拡大するよう形成された円柱状の凹部が設けられ、
該凹部に、前記楽器本体の端部が内嵌するよう楽器本体に接続されることで、前記楽器本体の流路と接続部材の流路とが連通するよう構成され、
楽器本体の流路の端部における内周面に環状の面取りが形成され、
前記接続部材の流路の周面に、該接続部材の長手方向全域に亘る溝が形成され、
接続部材の流路の径と、楽器本体の流路の径は略同一であり、前記溝の深さは、前記面取りの深さに略一致することを特徴とする管楽器。
【請求項２】
溝は、マウスピースと管楽器本体との間に接続される接続部材の内周面に形成されていることを特徴とする請求項１記載の管楽器。
【請求項３】
溝は、接続部材の内周面に螺旋状に形成されていることを特徴とする請求項１または請求項２に記載の管楽器。
【請求項４】
溝は、接続部材の内周面に、周方向に所定間隔を置いて複数配置されていることを特徴とする請求項１ないし請求項３の何れかに記載の管楽器。
【請求項５】
溝は、周方向両側に対向する側面と、側面間の底面とから矩形断面に形成されていることを特徴とする請求項１ないし請求項４の何れかに記載の管楽器。
【請求項６】
接続部材は、クラリネットに用いられるバレルであり、楽器本体はクラリネットの上管であることを特徴とする請求項１ないし請求項５の何れかに記載の管楽器。
【手続補正２】
【補正対象書類名】明細書
【補正対象項目名】００１３
【補正方法】変更
【補正の内容】
【００１３】
本発明は、内部に流路を備える楽器本体と、内部に流路を備えることで管状に形成された接続部材とを備える管楽器であって、前記接続部材の端部にその流路を拡大するよう形成された円柱状の凹部が設けられ、該凹部に、前記楽器本体の端部が内嵌するよう楽器本体に接続されることで、前記楽器本体の流路と接続部材の流路とが連通するよう構成され、楽器本体の流路の端部における内周面に環状の面取りが形成され、前記接続部材の流路の周面に、該接続部材の長手方向全域に亘る溝が形成され、接続部材の流路の径と、楽器本体の流路の径は略同一であり、前記溝の深さは、前記面取りの深さに略一致することを特徴としている。
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】削除
【補正の内容】